(57)【要約】  本開示は、電気端子台にリレー（１０１）を配置するためのプラグイン接続装置（１００）を含む。リレー（１０１）は、底壁（１０３）と、側壁（１０５）と、底壁（１０３）から突出するコンタクトプラグ（１０７）とを含み、側壁（１０５）は、底壁（１０３）上に垂直に配置され、オフセット部分（１０９）を含み、オフセット部分は、底壁（１０３）に接触し、側壁（１０５）の面法線の方向にリレー（１０１）内に突出し、電気端子台は、リレー（１０１）を保持するように適合されるリレーホルダ（１１１）を含み、リレーホルダ（１１１）は、リレー（１０１）がリレーホルダ（１１１）に挿入されるとコンタクトプラグ（１０７）を保持するように適合されるソケット（１１３）を含み、リレーホルダ（１１１）は更に絶縁壁（１１５）を含み、絶縁壁（１１５）は、リレー（１０１）がリレーホルダ（１１１）に挿入されると、絶縁壁（１１５）の片面に沿ってコンタクトプラグ（１０７）に対する角度付き絶縁部分を形成すべく、側壁（１０５）と平行に位置合わせされ、底壁（１０３）を超えて突出する。
2021520034.tif 000002
【特許請求の範囲】
【請求項１】
電気端子台にリレーを配置するためのプラグイン接続装置であって、
前記リレーは、底壁と、側壁と、前記底壁から突出するコンタクトプラグとを含み、前記側壁は、前記底壁と垂直に配置され、オフセット部分を含み、前記オフセット部分は、前記底壁と接触し、前記側壁の面法線の方向に前記リレー内に突出し、
前記電気端子台は、前記リレーを保持するように適合されるリレーホルダを含み、前記リレーホルダは、前記リレーが前記リレーホルダに挿入されると前記コンタクトプラグを保持するように適合されるソケットを含み、
前記リレーホルダは更に、絶縁壁を含み、前記絶縁壁は、前記リレーが前記リレーホルダに挿入されると、前記絶縁壁の表面に沿って前記コンタクトプラグに対する角度付き絶縁部分を形成すべく、前記側壁と平行に位置合わせされ、前記底壁を超えて突出する、
プラグイン接続装置。
【請求項２】
前記絶縁壁は、前記プラグイン接続装置の幅を減らすべく、前記オフセット部分に少なくとも部分的に係合する、請求項１に記載のプラグイン接続装置。
【請求項３】
前記絶縁壁は、側壁面および上面を含み、前記側壁面は、前記側壁に面し、前記オフセット部分から離間され、前記上面は、前記オフセット部分に少なくとも部分的に影響を与える、請求項１または２に記載のプラグイン接続装置。
【請求項４】
前記リレーホルダは、前記リレーが少なくとも部分的に係合する前部ガイドレールおよび／または後部ガイドレールを含み、前記前部ガイドレールおよび／または前記後部ガイドレールは、前記コンタクトプラグを前記ソケットに重ね合わせた配置を実現すべく、前記リレーを挿入方向に沿って前記ソケットに誘導するように適合される、請求項１から３の何れか一項に記載のプラグイン接続装置。
【請求項５】
前記前部ガイドレールおよび／または前記後部ガイドレールはそれぞれ、前記リレーを前記リレーホルダに前記挿入した後および／または前記挿入している間に前記リレーとの形状適合接続を形成するように適合されるＵ字型の輪郭を有する、請求項４に記載のプラグイン接続装置。
【請求項６】
前記オフセット部分の部分長が、前記リレーのリレー長より短い、請求項１から５の何れか一項に記載のプラグイン接続装置。
【請求項７】
前記絶縁壁の壁長が前記部分長より短く、前記絶縁壁は、前記オフセット部分との形状適合接続を形成するように適合される、請求項６に記載のプラグイン接続装置。
【請求項８】
エンドプレートを備え、前記エンドプレートは、前記リレーホルダ上に横方向に配置され、接点絶縁および／または前記コンタクトプラグの接触からの保護を提供すべく、少なくとも部分的に、前記側壁の反対側にある前記リレーの外壁の上にある、または、前記外壁に面している、請求項１から７の何れか一項に記載のプラグイン接続装置。
【請求項９】
複数のコンタクトプラグを備え、前記複数のコンタクトプラグは、一列に配置され、前記底壁から突出し、第１の数の前記コンタクトプラグが前記リレーの接続接点を形成し、第２の数の前記コンタクトプラグが前記リレーの開閉接点を形成し、前記絶縁壁は、前記開閉接点に沿って延伸する、請求項１から８の何れか一項に記載のプラグイン接続装置。
【請求項１０】
前記リレーが前記リレーホルダに挿入された後、前記リレーホルダから距離を置いて前記底壁を配置すべく、前記絶縁壁の壁高が前記オフセット部分の部分高を超える、請求項１から９の何れか一項に記載のプラグイン接続装置。
【請求項１１】
前記絶縁壁は、前記オフセット部分と前記絶縁壁との間に空洞を生成すべく、前記側壁に対して前記側壁の面法線の方向にオフセットされる、請求項１から１０の何れか一項に記載のプラグイン接続装置。
【請求項１２】
前記リレーホルダは、前記ソケットが配置される支持プレートを含み、前記支持プレートは、前記絶縁壁と一体に形成される、請求項１から１１の何れか一項に記載のプラグイン接続装置。
【請求項１３】
前記リレーは接点絶縁壁を含み、前記接点絶縁壁は、前記側壁と平行に配置され、少なくとも部分的に前記底壁を超えて突出し、前記リレーホルダは、受け入れニッチを含み、前記受け入れニッチは、前記リレーが前記リレーホルダに挿入されると、前記接点絶縁壁の表面に沿って前記コンタクトプラグに対する角度付き絶縁部分を形成すべく、前記側壁と平行に位置合わせされ、前記接点絶縁壁を少なくとも部分的に保持するように適合される、請求項１から１２の何れか一項に記載のプラグイン接続装置。
【請求項１４】
複数の電気端子台を備える電気端子台装置であって、前記複数の電気端子台はそれぞれ、プラグイン接続装置を含み、それぞれの電気端子台は、リレーを保持するように適合され、前記それぞれのリレーは、底壁と、側壁と、前記底壁から突出するコンタクトプラグとを含み、前記側壁は、前記底壁上に垂直に配置され、オフセット部分を含み、前記オフセット部分は、前記底壁に接触し、前記側壁の面法線の方向に前記リレー内に突出し、前記それぞれの電気端子台は、前記それぞれのリレーを保持するように適合されるリレーホルダを含み、前記リレーホルダは、前記それぞれのリレーが前記リレーホルダに挿入されると前記コンタクトプラグを保持するように適合されるソケットを含み、前記リレーホルダは更に絶縁壁を含み、前記絶縁壁は、前記それぞれのリレーが前記リレーホルダに挿入されると、前記絶縁壁の片面に沿って前記コンタクトプラグに対する角度付き絶縁部分を形成すべく、前記側壁と平行に位置合わせされ、前記底壁を超えて突出し、前記電気端子台は、互いに合同的に隣接している、電気端子台装置。
【請求項１５】
前記複数の電気端子台のうちの第１電気端子台のプラグイン接続装置の絶縁壁が、前記複数の電気端子台のうちの第２電気端子台の更なるプラグイン接続装置の外壁の隣に配置され、前記更なる外壁に面し、前記絶縁壁と前記外壁との間には間隙が形成される、請求項１４に記載の電気端子台装置。
【請求項１６】
前記オフセット部分と、前記第１電気端子台の前記絶縁壁と、前記第２電気端子台の更なる外壁との間の間隙が、前記第１電気端子台の前記プラグイン接続装置の前記コンタクトプラグと、前記第２電気端子台の前記更なるコンタクトプラグとの間に多角度の絶縁部分を形成する、請求項１５に記載の電気端子台装置。
【発明の詳細な説明】
【技術分野】
【０００１】
本開示は、電気端子台にリレーを配置するためのプラグイン接続装置に関する。
【０００２】
幾つかの電気端子台の組み合わせは通常、電気部品、特にリレー用の複数の隣接するプラグイン接続を含む。結果的に、接続接点と、相互に隣接して配置される電気部品との間の距離は、プラグイン接続間の距離で決定することができる。有利なことに、幾つかの電気端子台の組み合わせに必要とされるスペースを減らすべく、電気端子台の全幅、ひいてはプラグイン接続間の距離を減らす。対照的に、特に接続接点間の火花形成および／または漏洩電流に起因して、電気的接続を防止すべく、接続接点間の最短距離を維持する必要があるかもしれない。これに応じて、電気端子台の全幅の更なる減少は、接続接点間の必要な最小間隔に起因して、不利な形で限定され得る。
【０００３】
本開示の目的は、全幅を減らし、かつ、絶縁距離を長くしたおよび／または少なくとも一定にした、より効率的なプラグイン接続装置を提供することである。
【０００４】
この目的は、独立請求項の特徴によって実現される。有利な実施形態は、従属請求項の主題、本明細書、および添付の図である。
【０００５】
本開示は、上記の目的が、絶縁距離および／または沿面距離の角度付き設計を有するプラグイン接続装置により実現され得るという知識に基づいている。プラグイン接続装置は、プラグを形成するリレーと、ソケットを形成するリレーホルダとを含む。リレーは、コンタクトプラグの隣側に、リレーホルダの絶縁壁が係合する桶状の窪みを含む。これに応じて、階段状の間隙が形成されることで、相互に隣接して配置されるプラグイン接続間の絶縁部分が、桶状の窪みの高さの少なくとも２倍増加する。電気端子台の全幅を減らすことにより絶縁距離を再び減らすことができるため、絶縁距離の角度付き構成があると、絶縁距離が、絶縁距離の角度付き構成がないより幅広の電気端子台の絶縁距離より短くなることはない。
【０００６】
第１態様によれば、本開示は、電気端子台にリレーを配置するためのプラグイン接続装置に関するものであり、リレーは、底壁と、側壁と、底壁から突出するコンタクトプラグとを含む。側壁は底壁の上に垂直に配置され、オフセット部分を含み、オフセット部分は底壁に接触し、側壁の面法線の方向にリレー内に突出する。電気端子台は、リレーを保持するように適合されるリレーホルダを含み、リレーホルダは、リレーがリレーホルダに挿入されるとコンタクトプラグを保持するように適合されるソケットを含む。リレーホルダは更に絶縁壁を含み、絶縁壁は、リレーがリレーホルダに挿入されると、絶縁壁の表面に沿ってコンタクトプラグに対する角度付き絶縁部分を形成すべく、側壁と平行に位置合わせされ、底壁を超えて突出する。
【０００７】
プラグイン接続装置は特に、電気部品、特にリレーを機械的に固定するように適合され、リレーは、少なくとも部分的な形状適合接続（ｆｏｒｍ−ｆｉｔ  ｃｏｎｎｅｃｔｉｏｎ）を用いて部品ハウジング内に配置される。更に、プラグイン接続は、電気部品と電気端子台との間の電気的接続を生成するように適合される。オフセット部分は、絶縁壁を少なくとも部分的に保持できる桶状の窪み、特にほぼ立方体の窪みを形成する。
【０００８】
特に、リレーは底部側をＬ字型にすることができ、リレーホルダも底部のリレー形状とは逆のＬ字型にすることができるため、形状適合を用いてリレーを少なくとも部分的にリレーホルダ上に静止させることができる。
【０００９】
一実施形態では、プラグイン接続装置の幅を減らすべく、絶縁壁がオフセット部分に少なくとも部分的に係合する。
【００１０】
これには、全幅を減らした電気端子台において、全幅は減らしたが絶縁距離を一定にした、リレーを使用できるという利点がある。例えば、リレーの最短絶縁距離は、電気端子台またはリレーホルダの全幅より長くすることができる。従って、直接測定されるリレー間の距離より長い分離部分を２つの隣接するリレー間で実現できるようにする幾何学的配置を見つける必要があるかもしれない。これは特に絶縁部分の角度付きガイダンスで実現することができ、角度付き絶縁部分に必要な設置スペースは、まっすぐで平坦な絶縁部分より大きくすることができる。場合によって設置スペースを増やすべく、リレーにはオフセット部分が形成される。有利なことに、オフセット部分の領域にはリレーのコンタクトプラグの接点固定部（ｃｏｎｔａｃｔ  ｆａｓｔｅｎｉｎｇ）および／またはハウジング出口が１つだけ設けられるため、リレーにオフセット部分を形成することによって、リレー内に配置される電気部品および／または機械部品に制限が生じることは全くない。特に、この適合におけるリレーは、制限なくプリント回路基板に装着され得る。
【００１１】
オフセット部分を用いると、絶縁部分の全長を少なくとも同じにしてまたは増やして、より短い全幅で絶縁部分を実現できるという点で、電気端子台にリレーを保持するために設けられる設置スペースをより効率的に使用することができる。分離部分の設置スペースは、リレーの設置高さの方向に増やすことができる。他の方法では使用されないこの垂直の設置スペースを効率的に使用して、並べて配置される電気端子台に挿入されるリレーの充填密度を高めることができる。
【００１２】
一実施形態では、絶縁壁は側壁面および上面を含み、側壁面は側壁に面し、オフセット部分から離間され、上面はオフセット部分に少なくとも部分的に影響を与える。
【００１３】
空隙を絶縁部分として生成すべく、絶縁壁はリレーから離間させることができる。リレーがリレーホルダの上にある場合は、リレーホルダ上のリレーハウジングの接触面によって、コンタクトプラグ用の漏洩経路が形成され得る。
【００１４】
一実施形態では、リレーホルダは、リレーが少なくとも部分的に係合する前部ガイドレールおよび／または後部ガイドレールを含み、前部ガイドレールおよび／または後部ガイドレールは、コンタクトプラグをソケットに重ね合わせた配置を実現すべく、リレーを挿入方向に沿ってソケットに誘導するように適合される。これには、コンタクトプラグをソケットに正確に挿入できるという利点がある。故に、特に複数のコンタクトプラグおよびソケットを用いると、コンタクトプラグの極性反転および／またはリレーホルダへのリレーのオフセット挿入を防止することができる。
【００１５】
一実施形態では、前部ガイドレールおよび／または後部ガイドレールはそれぞれ、リレーをリレーホルダに挿入した後および／または挿入している間にリレーとの形状適合接続を形成するように適合されるＵ字型の輪郭を有する。これには、電気端子台へのリレーの手挿入または機械的挿入を簡略化できるという利点がある。特に、ソケットに対するコンタクトプラグの傾きまたはズレを防止することができる。ガイドレールはねじれ防止デバイスも含むことができ、前部ガイドレールは例えば、後部ガイドレールに対して異なるレール幅を有するか、または異なる形状の更なるガイドウェブを含む。ガイドレールはリレーの端面においてリレーの区切りを形成すること、および、端面においてリレーを少なくとも部分的に取り囲むこともできるため、ガイドレールはリレーの側壁上に静止することができる。
【００１６】
一実施形態では、オフセット部分の部分長がリレーのリレー長より短い。これには、コンタクトプラグの被絶縁領域に絶縁壁およびオフセット部分が形成されるという利点がある。リレーの残りの部分には、電気端子台の全幅を使用することができる。特にリレーハウジングに配置される磁気解放システムの領域で、それがオフセット部分と重複することはない。特に、絶縁壁を用いて、リレーの開閉接点を、他のリレーの隣接する開閉接点の方向に分離することができる。リレートリップシステムを制御するための接続接点は、より低い要件、特に、観察されるより低い絶縁距離および漏洩距離を有することができるため、リレーの接続接点の領域における絶縁距離の延長は必要ないかもしれない。
【００１７】
一実施形態では、絶縁壁の壁長は部分長より短く、絶縁壁は、オフセット部分との形状適合接続を形成するように適合される。これには、絶縁壁をオフセット部分に完全に配置できるという利点がある。特に、絶縁壁によって、リレーの側壁との平坦なおよび／または間隙のない面が形成される。形状適合接続によって、リレーが壁長の方向にオフセットされることが防止される。リレーをリレーホルダに完全に挿入することを保証すべく、絶縁壁と側壁との間の間隙を、リレーホルダ内のリレーの位置を確認するための指標にすることができる。
【００１８】
一実施形態では、プラグイン接続装置は、エンドプレートを含み、エンドプレートは、リレーホルダ上に横方向に配置され、接点絶縁および／またはコンタクトプラグの接触からの保護を提供すべく、少なくとも部分的に、側壁の反対側にあるリレーの外壁の上にある、および／または、外壁に面している。これには、複数の電気端子台の装置におけるそれぞれの第１リレーが、隣接する電子部品に対して十分な長さの絶縁距離および／または漏洩距離を有するという利点がある。エンドプレートは、電気端子台の形状に従って適合されてよく、リレーの外壁を少なくとも部分的に覆う。
【００１９】
一実施形態では、プラグイン接続装置は、複数のコンタクトプラグを含み、複数のコンタクトプラグは、一列に配置され、底壁から突出し、第１の数のコンタクトプラグがリレーの接続接点を形成し、第２の数のコンタクトプラグがリレーの開閉接点を形成し、絶縁壁は開閉接点に沿って延伸する。リレーは特に、電気的に導通するよう交互にまたは対で接続され得る２つ、３つ、または４つの開閉接点を含むことができる。更に、リレーは、磁気解放システムを制御するための少なくとも２つの接続接点を含むことができる。コンタクトプラグの大部分は有利なことに、リレーのリレー全長の方向にコンタクトプラグを離間して配置することを実現すべく単一の列だけを形成することができるため、２列配置などでリレーの全幅の方向に離間して配置する必要はないかもしれない。
【００２０】
コンタクトプラグ間の距離は特に、既存のリレーアセンブリとの高レベルの互換性を確保すべく、標準化されたパターンに対応することができる。
【００２１】
一実施形態では、リレーがリレーホルダに挿入された後、リレーホルダから距離を置いて底壁を配置すべく、絶縁壁の壁高がオフセット部分の部分高を超える。
【００２２】
側壁では、オフセット部分の外側の領域にスペーサを形成することもでき、スペーサは、リレーがリレーホルダに挿入されると、絶縁壁との高さの差を補償するように適合される。絶縁壁は、リレーホルダに挿入した後のリレーの縦軸に沿ったレバレッジ効果を防止すべく、部分高と比べて高くなっている。
【００２３】
リレーホルダは更に、絶縁壁および／または前部ガイドレールもしくは後部ガイドレールを含む周壁を含むことができる。リレーのコンタクトプラグの接点保護を実現すべく、周壁は底部でリレーを完全に囲むことができる。
【００２４】
一実施形態では、絶縁壁は、オフセット部分と絶縁壁との間に空洞を形成すべく、側壁の面法線の方向に側壁に対してオフセットされる。空洞は特に、隣接するリレーのコンタクトプラグ間の絶縁部分の一部にすることができる。絶縁壁の幅の変更によって、空洞の幅が適合され得る。
【００２５】
一実施形態では、リレーホルダは、ソケットが配置される支持プレートを含み、支持プレートは絶縁壁と一体に形成される。
【００２６】
一実施形態では、リレーは接点絶縁壁を含み、接点絶縁壁は、側壁と平行に配置され、少なくとも部分的に底壁を超えて突出し、リレーホルダは、受け入れニッチを含み、受け入れニッチは、リレーがリレーホルダに挿入されると、接点絶縁壁の表面に沿ってコンタクトプラグに対する角度付き絶縁部分を形成すべく、側壁と平行に位置合わせされ、接点絶縁壁を少なくとも部分的に保持するように適合される。
【００２７】
第２態様によれば、本開示は、複数の電気端子台を備える電気端子台装置に関する。複数の電気端子台はそれぞれ、プラグイン接続装置を含み、それぞれの電気端子台は、リレーを保持するように適合され、それぞれのリレーは、底壁と、側壁と、底壁から突出するコンタクトプラグとを含み、側壁は、底壁上に垂直に配置され、オフセット部分を含み、オフセット部分は、底壁に接触し、側壁の面法線の方向にリレー内に突出し、それぞれの電気端子台は、それぞれのリレーを保持するように適合されるリレーホルダを含み、リレーホルダは、それぞれのリレーがリレーホルダに挿入されるとコンタクトプラグを保持するように適合されるソケットを含み、リレーホルダは更に絶縁壁を含み、絶縁壁は、それぞれのリレーがリレーホルダに挿入されると、絶縁壁の片面に沿ってコンタクトプラグに対する角度付き絶縁部分を形成すべく、側壁と平行に位置合わせされ、底壁を超えて突出し、電気端子台は、互いに合同的に隣接している。
【００２８】
一実施形態では、複数の電気端子台のうちの第１電気端子台のプラグイン接続装置の絶縁壁が、複数の電気端子台のうちの第２電気端子台の更なるプラグイン接続装置の外壁の隣に配置され、外壁に面し、絶縁壁と外壁との間には間隙が形成される。
【００２９】
一実施形態では、オフセット部分と、第１電気端子台の絶縁壁と、第２電気端子台の更なる外壁との間の間隙が、第１電気端子台のプラグイン接続装置のコンタクトプラグと、第２電気端子台の更なるコンタクトプラグとの間に多角度の絶縁部分を形成する。
【図面の簡単な説明】
【００３０】
添付の図を参照しながら、更なる例示的な実施形態について説明する。添付の図は以下を示す。
【図１】ある実施形態におけるプラグイン接続装置を示す。
【図２】ある実施形態におけるプラグイン接続装置を示す。
【図３】ある実施形態における電気端子台装置を示す。
【図４Ａ】ある実施形態における電気端子台装置を示す。
【図４Ｂ】ある実施形態における電気端子台装置を示す。
【図５】ある実施形態におけるプラグイン接続装置を示す。
【図６】ある実施形態における電気端子台装置を示す。
【図７】ある実施形態におけるプラグイン接続装置を示す。
【図８】ある実施形態におけるプラグイン接続装置を示す。
【図９】ある実施形態におけるプラグイン接続装置を示す。
【発明を実施するための形態】
【００３１】
図１は、電気端子台にリレー１０１を配置するためのプラグイン接続装置１００の概略的な断面図を示す。リレー１０１は、底壁１０３と、側壁１０５と、底壁１０３から突出するコンタクトプラグ１０７とを含む。側壁１０５は底壁１０３の上に垂直に配置され、オフセット部分１０９を含み、オフセット部分１０９は、底壁１０３に接触し、側壁１０５の面法線の方向にリレー１０１内に突出する。
【００３２】
電気端子台は、リレー１０１を保持するように適合されるリレーホルダ１１１を含み、リレーホルダ１１１は、リレー１０１がリレーホルダ１１１に挿入されるとコンタクトプラグ１０７を保持するように適合されるソケット１１３を含む。
【００３３】
リレーホルダ１１１は絶縁壁１１５も含み、絶縁壁１１５は、リレー１０１がリレーホルダ１１１に挿入されると、絶縁壁１１５の表面に沿ってコンタクトプラグ１０７に対する角度付き絶縁部分を形成すべく、側壁１０５と平行に位置合わせされ、底壁１０３を超えて突出する。
【００３４】
絶縁壁１１５は、プラグイン接続装置１００の幅１１７を減らすべく、オフセット部分１０９に少なくとも部分的に係合する。更に、絶縁壁１１５は側壁面１１９および上面１２１を含み、側壁面１１９は側壁１０５に面し、オフセット部分１０９から距離を置いたところにあり、上面１２１は、オフセット部分１０９に少なくとも部分的に影響を与える。更に、絶縁壁１１５は、オフセット部分１０９と絶縁壁１１５との間に空洞を形成すべく、側壁の面法線の方向に側壁１０５に対してオフセットされる。
【００３５】
更に、リレー１０１がリレーホルダ１１１に挿入された後、リレーホルダ１１１から距離を置いて底壁１０３を配置すべく、絶縁壁１１５の壁高１２３がオフセット部分１０９の部分高を超える。
【００３６】
図２は、図１に示す実施形態に係るプラグイン接続装置１００の概略的な斜視図を示す。プラグイン接続装置１００は、電気端子台２０１の一部である。
【００３７】
リレーホルダ１１１は、リレー１０１が少なくとも部分的に係合する前部ガイドレール１２５および／または後部ガイドレール２０７を含み、前部ガイドレール１２５および後部ガイドレール２０７は、コンタクトプラグ１０７をソケット１１３に重ね合わせた配置を実現すべく、リレー１０１を挿入方向に沿ってソケット１１３に向かって誘導するように適合される。
【００３８】
更に、前部ガイドレール１２５および／または後部ガイドレール２０７はそれぞれ、リレー１０１をリレーホルダ１１１に挿入した後および挿入している間にリレー１０１との確実な接続を形成するように適合されるＵ字型の輪郭を有する。
【００３９】
リレー１０１は、複数のコンタクトプラグ１０７を含み、複数のコンタクトプラグ１０７は、一列に配置され、底壁１０３から突出し、第１の数のコンタクトプラグ１０７がリレー１０１の接続接点２０３−１、２０３−２を形成し、第２の数のコンタクトプラグ１０７がリレー１０１の開閉接点２０５−１、２０５−２を形成する。更に、絶縁壁１１５は、開閉接点２０５−１、２０５−２に沿って延伸する。
【００４０】
オフセット部分１０９の部分長２０９が、リレーのリレー長２１１より短い。特に、オフセット部分１０９は、開閉接点２０５−１、２０５−２を横方向に限定するのに十分な長さである。更に、絶縁壁１１５の壁長は部分長２０９より短く、絶縁壁１１５は、オフセット部分１０９との形状適合接続を形成するように適合される。
【００４１】
図３は、複数の電気端子台２０１を備える電気端子台装置３００を示す。複数の電気端子台２０１はそれぞれ、図１および図２に示す実施形態に対応するプラグイン接続装置１００を含み、各電気端子台２０１は、側壁１０５を含むリレー１０１を保持するように適合される。それぞれの電気端子台２０１は、それぞれのリレー１０１を保持するように適合されるリレーホルダ１１１を含み、リレーホルダ１１１は、それぞれのリレー１０１がリレーホルダ１１１に挿入されると、側壁１０５と平行に位置合わせされて、絶縁壁１１５の表面に沿って角度付き絶縁部分を形成する絶縁壁１１５を含み、電気端子台２０１は、相互に合同的に隣接して配置される。
【００４２】
更に、図には第１断面３０１および第２断面３０３が示されている。これらの断面は、リレー１０１の長手方向に対して横方向に配向される。第１切断面３０１は、接続接点の領域でリレー１０１と交差し、第２切断面３０５は、絶縁壁１１５の領域でリレー１０１およびリレーホルダ１１１と交差する。
【００４３】
図４Ａは、図３に示す断面３０１に沿った、図３に示す電気端子台装置３００の実施形態の概略的な断面図を示す。複数の電気端子台のうちの第１電気端子台のプラグイン接続装置１００の絶縁壁１１５が、複数の電気端子台のうちの第２電気端子台の更なるプラグイン接続端子の更なる外壁４０１の隣に配置され、更なる外壁４０１の方に面している。絶縁壁１１５と外壁１２７との間には間隙が形成される。
【００４４】
絶縁壁１１５は、オフセット部分１０９に少なくとも部分的に係合する。更に、絶縁壁１１５は側壁面１１９および上面１２１を含み、側壁面１１９は側壁１０５に面し、オフセット部分１０９から離間されている。上面１２１は、オフセット部分１０９に少なくとも部分的に影響を与える。更に、絶縁壁１１５は、オフセット部分１０９と絶縁壁１１５との間に空洞を形成すべく、側壁１０５に対して側壁１０５の面法線の方向にオフセットされる。
【００４５】
図４Ｂは、図３に示す断面３０３に沿った、図３に示す電気端子台装置３００の実施形態の概略的な断面図を示す。絶縁部分は、絶縁壁１１５の壁面１１９および上面１２１に沿って延伸する。
【００４６】
オフセット部分１０９と、第１電気端子台の絶縁壁１１５と、第２電気端子台の外壁４０１との間の間隙が、第１電気端子台のプラグイン接続装置１００のコンタクトプラグ１０７と、第２電気端子台の更なるコンタクトプラグ４０３との間に多角度の絶縁部分を形成する。
【００４７】
図５は、電気端子台２０１にリレー１０１を配置するためのプラグイン接続装置１００の概略的な断面図を示す。電気端子台２０１は、リレー１０１を収容するように適合されるリレーホルダ１１１を含む。リレー１０１は、複数のコンタクトプラグを含み、複数のコンタクトプラグは、一列に配置され、リレー１０１から突出し、第１の数のコンタクトプラグがリレー１０１の接続接点２０３−１、２０３−２を形成し、第２の数のコンタクトプラグがリレー１０１の開閉接点２０５−１、２０５−２、５０３を形成する。
【００４８】
リレーホルダ１１１は、複数のソケット５０５−１から５０５−５が配置される支持プレート５０１を含み、支持プレート５０１は絶縁壁１１５と一体に形成される。複数のソケット５０５−１から５０５−５は、リレー１０１がリレーホルダ１１１に挿入されると、接続接点２０３−１、２０３−２、および開閉接点２０５−１、２０５−２を受け入れるように適合される。
【００４９】
電気端子台２０１は、ソケット５０５−１から５０５−５に挿入されるリレーのコンタクトプラグを外側に誘導するように適合される接続要素７０１−１から７０１−６も含む。接続要素７０１−１から７０１−６は、ケーブルまたはプラグを受け入れるように適合される。特に、接続要素７０１−１から７０１−６は、ケーブルを機械的に固定し、かつ、電気的に接触させるためのラッチ接続、ねじ接続、クランプ接続、および／またはプラグイン接続を含むことができる。
【００５０】
図６は、複数の電気端子台６０３−１から６０３−６を備える電気端子台装置３００を示す。複数の電気端子台はそれぞれ、図１および図２に示す実施形態に対応するプラグイン接続装置を含み、電気端子台６０３−１から６０３−６はそれぞれ、リレー６０５−１から６０５−６を受け入れるように適合される。
【００５１】
電気端子台装置３００は、エンドプレート６０１を含み、エンドプレート６０１は、リレー１０１の側に配置され、リレー１０１に対して接点絶縁および接点保護を提供すべく、側壁１０５の反対側にあるリレー１０１の外壁１２７の上にある。電気端子台装置３００は、トップハットレール６０７の上に配置される、特にプロファイルレール６０７の上にプッシュ、クランプ、またはラッチされる。
【００５２】
図７は、図５に示す実施形態に係るプラグイン接続装置１００の概略的な上面図を示す。リレーホルダ１１１は、複数のソケット５０５−１から５０５−５が配置される支持プレート５０１を含み、支持プレート５０１は絶縁壁１１５と一体に形成される。複数のソケット５０５−１から５０５−５は、リレー１０１がリレーホルダ１１１に挿入されると、接続接点２０３−１、２０３−２および開閉接点２０５−１、２０５−２、５０３を収容するように適合される。
【００５３】
ソケット５０５−１から５０５−５は、ソケット５０５−１から５０５−５と接続要素７０１−１から７０１−６との間に電気的接続を提供するように適合されるプリント回路基板７０３の上にはんだ付けされる。代替的に、ソケット５０５−１から５０５−５と接続要素７０１−１から７０１−６との間の接続要素としてリードフレームを使用することが可能である。更に、図７には断面７０５が示されている。
【００５４】
図８は、断面７０５に沿った、図７に示す実施形態に係る電気端子台２０１にリレー１０１を配置するためのプラグイン接続装置１００の概略的な断面図を示す。リレー１０１は、底壁と、側壁１０５と、底壁１０３から突出するコンタクトプラグ１０７とを含む。側壁１０５は底壁１０３の上に垂直に配置され、オフセット部分１０９を含み、オフセット部分１０９は、底壁１０３に隣接し、側壁１０５の面法線の方向にリレー１０１内に突出する。
【００５５】
電気端子台２０１は、リレー１０１を保持するように適合されるリレーホルダ１１１を含み、リレーホルダ１１１は、リレー１０１がリレーホルダ１１１に挿入されるとコンタクトプラグ１０７を保持するように適合されるソケット１１３を含む。
【００５６】
リレーホルダ１１１は絶縁壁１１５も含み、絶縁壁１１５は、リレー１０１がリレーホルダ１１１に挿入されると、絶縁壁１１５の表面に沿ってコンタクトプラグ１０７に対する角度付き絶縁部分を形成すべく、側壁１０５と平行に位置合わせされ、底壁１０３を超えて突出する。
【００５７】
絶縁壁１１５は、プラグイン接続装置１００の構造的な幅１１７を減らすべく、オフセット部分１０９に少なくとも部分的に係合する。更に、絶縁壁１１５は側壁面１１９および上面１２１を含み、側壁面１１９は側壁１０５に面し、オフセット部分１０９から距離を置いたところにあり、上面１２１は、オフセット部分１０９に少なくとも部分的に影響を与える。更に、絶縁壁１１５は、オフセット部分１０９と絶縁壁１１５との間に空洞を形成すべく、側壁１０５に対して側壁１０５の面法線の方向にオフセットされる。
【００５８】
図９は、電気端子台にリレー１０１を配置するためのプラグイン接続装置１００の概略的な断面図を示す。リレー１０１は、底壁１０３と、側壁１０５と、底壁１０３から突出するコンタクトプラグ１０７とを含む。側壁１０５は、底壁１０３の上に垂直に配置される。
【００５９】
電気端子台は、リレー１０１を保持するように適合されるリレーホルダ１１１を含み、リレーホルダ１１１は、リレー１０１がリレーホルダ１１１に挿入されるとコンタクトプラグ１０７を保持するように適合されるソケット１１３を含む。
【００６０】
リレー１０１は接点絶縁壁９０１も含み、接点絶縁壁９０１は、側壁１０５と平行に配置され、少なくとも部分的に底壁１０３を超えて突出する。リレーホルダ１１１は更に受け入れニッチ９０３を含み、受け入れニッチ９０３は、リレー１０１がリレーホルダ１１１に挿入されると、接点絶縁壁９０１の表面に沿ってコンタクトプラグ１０７に対する角度付き絶縁部分を形成すべく、側壁１０５と平行に位置合わせされ、接点絶縁壁９０１を少なくとも部分的に保持するように適合される。
【００６１】
接点絶縁壁９０１は、プラグイン接続装置１００の幅１１７を減らすべく、受け入れニッチ９０３に少なくとも部分的に係合する。更に、リレー１０１がリレーホルダ１１１に挿入された後、リレーホルダ１１１から距離を置いて底壁１０３を配置すべく、接点絶縁壁９０１の壁高９０５が受け入れニッチ９０３のニッチ高を超えることができる。リレー１０１は、側壁１０５および接点絶縁壁９０１から離れた方を向いている外壁１２７も含む。
【００６２】
［参照番号一覧］
１００：プラグイン接続装置
１０１：リレー
１０３：底壁
１０５：側壁
１０７：コンタクトプラグ
１０９：オフセット部分
１１１：リレーホルダ
１１３：ソケット
１１５：絶縁壁
１１７：幅
１１９：側壁面
１２１：上面
１２３：壁高
１２５：前部ガイドレール
１２７：外壁
２０１：電気端子台
２０３−１：接続接点
２０３−２：接続接点
２０５−１：開閉接点
２０５−２：開閉接点
２０７：後部ガイドレール
２０９：部分長
２１１：リレーの全長
３０１：断面
３０３：断面
４０１：外壁
４０３：コンタクトプラグ
５０１：支持プレート
５０３：開閉接点
５０５−１：ソケット
５０５−２：ソケット
５０５−３：ソケット
５０５−４：ソケット
５０５−５：ソケット
６０１：エンドプレート
６０３−１：電気端子台
６０３−２：電気端子台
６０３−３：電気端子台
６０３−４：電気端子台
６０３−５：電気端子台
６０３−６：電気端子台
６０５−１：リレー
６０５−２：リレー
６０５−３：リレー
６０５−４：リレー
６０５−５：リレー
６０５−６：リレー
６０７：プロファイルレール
７０１−１：接続要素
７０１−２：接続要素
７０１−３：接続要素
７０１−４：接続要素
７０１−５：接続要素
７０１−６：接続要素
７０３：プリント回路基板
７０５：切断面
９０１：接点分離壁
９０３：受け入れニッチ
９０５：壁高
【図１】
2021520034.tif 000003
【図２】
2021520034.tif 000004
【図３】
2021520034.tif 000005
【図４Ａ】
2021520034.tif 000006
【図４Ｂ】
2021520034.tif 000007
【図５】
2021520034.tif 000008
【図６】
2021520034.tif 000009
【図７】
2021520034.tif 000010
【図８】
2021520034.tif 000011
【図９】
2021520034.tif 000012
【国際調査報告】
2021520034.tif 000013
2021520034.tif 000014
2021520034.tif 000015
2021520034.tif 000016